(57)【要約】【課題】雨水の浸入を防止し、かつより多くの通風量を確保することができる通風装置を提供する。【解決手段】通風装置１は、上下方向に並んで配置され、外羽板３と内羽板４を有する複数のルーバーユニット２を備える。外羽板３は、下辺が屋内側に位置するように傾斜し、下辺に沿った有孔部３１と、有孔部３１よりも上辺側の遮蔽部３２を有する。内羽板４は、下辺が屋外側に位置するように傾斜し、上辺に沿った有孔部４１と、有孔部４１よりも下辺側の遮蔽部４２を有する。そして、ルーバーユニット２Ｂの遮蔽部３２の上端部と、ルーバーユニット２Ｂの遮蔽部４２の上端部とを結ぶ直線Ｌ１上に、ルーバーユニット２Ａの遮蔽部４２が存在する。また、ルーバーユニット２Ｂの遮蔽部３２の上端部と、ルーバーユニット２Ａの遮蔽部４２の上端部とを結ぶ直線Ｌ２上に、ルーバーユニット２Ａの遮蔽部３２が存在する。【選択図】図１
2016156553.tif 000002
【特許請求の範囲】
【請求項１】
板状に形成され下辺が上辺よりも屋内側に位置するように傾斜した第１羽板、および板状に形成され下辺が上辺よりも屋外側に位置するように傾斜し前記第１羽板よりも屋内側に設けられる第２羽板を有し、前記第１羽板と前記第２羽板のうち一方の傾斜方向の延長線上に他方が存在する複数のルーバーユニットを備え、
前記第１羽板は、下辺に沿って設けられ複数の貫通孔が形成された有孔領域を有する第１有孔部と、前記第１有孔部よりも上辺側に設けられた無孔領域である第１遮蔽部とを有し、
前記第２羽板は、上辺に沿って設けられ複数の貫通孔が形成された有孔領域を有する第２有孔部と、前記第２有孔部よりも下辺側に設けられた無孔領域である第２遮蔽部とを有し、
前記複数のルーバーユニットは、上下方向に並んで配置され、
前記複数のルーバーユニットのうち第１ルーバーユニットの下端が、前記第１ルーバーユニットの下側に隣り合う第２ルーバーユニットの上端よりも下側に位置し、
前記第２ルーバーユニットにおける前記第１羽板の前記第１遮蔽部の上端部と、前記第２ルーバーユニットにおける前記第２羽板の前記第２遮蔽部の上端部とを結ぶ直線上に、前記第１ルーバーユニットにおける前記第２羽板の前記第１遮蔽部が存在し、
前記第２ルーバーユニットにおける前記第１羽板の前記第１遮蔽部の上端部と、前記第１ルーバーユニットにおける前記第２羽板の前記第２遮蔽部の上端部とを結ぶ直線上に、前記第１ルーバーユニットにおける前記第１羽板の前記第１遮蔽部が存在する
ことを特徴とする通風装置。
【請求項２】
前記第２遮蔽部は、前記第２有孔部との境界に沿って形成され上方向に突出した壁部を有し、
前記第２ルーバーユニットにおける前記第１羽板の前記第１遮蔽部の上端部と、前記第２ルーバーユニットにおける前記第２羽板の前記壁部の先端部とを結ぶ直線上に、前記第１ルーバーユニットにおける前記第２羽板の前記第２遮蔽部が存在し、
前記第２ルーバーユニットにおける前記第１羽板の前記第１遮蔽部の上端部と、前記第１ルーバーユニットにおける前記第２羽板の前記壁部の先端部とを結ぶ直線上に、前記第１ルーバーユニットにおける前記第１羽板の前記第１遮蔽部が存在する
ことを特徴とする請求項１記載の通風装置。
【請求項３】
前記第１羽板の傾斜角度を調整する調整機構を備える
ことを特徴とする請求項１または２記載の通風装置。
【発明の詳細な説明】
【技術分野】
【０００１】
本発明は、一般に通風装置、より詳細には通風経路を形成する通風装置に関する。
【背景技術】
【０００２】
従来、雨水の浸入を防止し通気を可能とする構成が提案されている（例えば、特許文献１参照）。特許文献１の構成は、下端が屋内側に位置するように傾斜した複数の第１羽板と、第１羽板よりも屋内側において下端が屋外側に位置するように傾斜した複数の第２羽板とを備える。そして、側面がＹ字状となるように組み合わされた第１羽板と第２羽板とのセットが上下方向に並べて配置されることで、雨水の浸入を防止し通気を可能としている。
【先行技術文献】
【特許文献】
【０００３】
【特許文献１】実開昭６０−５３９９７号公報
【発明の概要】
【発明が解決しようとする課題】
【０００４】
しかし、特許文献１の構成は、通風経路が限定されており、十分な通風量を得ることができないおそれがあった。そこで、雨水の浸入を防止した状態で、より多くの通風量を得ることが望まれていた。
【０００５】
本発明は、上記事由に鑑みてなされており、その目的は、雨水の浸入を防止し、かつより多くの通風量を確保することができる通風装置を提供することにある。
【課題を解決するための手段】
【０００６】
本発明の通風装置は、板状に形成され下辺が上辺よりも屋内側に位置するように傾斜した第１羽板、および板状に形成され下辺が上辺よりも屋外側に位置するように傾斜し前記第１羽板よりも屋内側に設けられる第２羽板を有し、前記第１羽板と前記第２羽板のうち一方の傾斜方向の延長線上に他方が存在する複数のルーバーユニットを備え、前記第１羽板は、下辺に沿って設けられ複数の貫通孔が形成された有孔領域を有する第１有孔部と、前記第１有孔部よりも上辺側に設けられた無孔領域である第１遮蔽部とを有し、前記第２羽板は、上辺に沿って設けられ複数の貫通孔が形成された有孔領域を有する第２有孔部と、前記第２有孔部よりも下辺側に設けられた無孔領域である第２遮蔽部とを有し、前記複数のルーバーユニットは、上下方向に並んで配置され、前記複数のルーバーユニットのうち第１ルーバーユニットの下端が、前記第１ルーバーユニットの下側に隣り合う第２ルーバーユニットの上端よりも下側に位置し、前記第２ルーバーユニットにおける前記第１羽板の前記第１遮蔽部の上端部と、前記第２ルーバーユニットにおける前記第２羽板の前記第２遮蔽部の上端部とを結ぶ直線上に、前記第１ルーバーユニットにおける前記第２羽板の前記第１遮蔽部が存在し、前記第２ルーバーユニットにおける前記第１羽板の前記第１遮蔽部の上端部と、前記第１ルーバーユニットにおける前記第２羽板の前記第２遮蔽部の上端部とを結ぶ直線上に、前記第１ルーバーユニットにおける前記第１羽板の前記第１遮蔽部が存在することを特徴とする。
【発明の効果】
【０００７】
本発明では、雨水の浸入を防止し、かつより多くの通風量を確保することができるという効果がある。
【図面の簡単な説明】
【０００８】
【図１】図１Ａは、実施形態１における通風装置の正面図である。図１Ｂは、図１ＡのＡ１−Ａ１断面図である。図１Ｃは、図１ＡのＢ１−Ｂ１断面図である。
【図２】実施形態１における通風装置の概略構成を示す斜視図である。
【図３】図３Ａは、実施形態１における通風装置の変形例の正面図である。図３Ｂは、図３ＡのＡ２−Ａ２断面図である。図３Ｃは、図３ＡのＢ２−Ｂ２断面図である。
【図４】図４Ａは、実施形態２における通風装置の正面図である。図４Ｂは、図４ＡのＡ３−Ａ３断面図である。図４Ｃは、図４ＡのＢ３−Ｂ３断面図である。
【図５】実施形態２における通風装置の内羽板の斜視図である。
【図６】図６Ａは、実施形態３における通風装置の可動機構の概略構成を示す一部破断した正面図である。図６Ｂは、実施形態３における通風装置の可動機構の概略構成を示す側方からの断面図である。
【図７】図７Ａ〜図７Ｃは、実施形態３における通風装置の外羽板の傾斜角度の切り替えを示す図である。
【発明を実施するための形態】
【０００９】
以下、本発明の実施の形態を図面に基づいて説明する。
（実施形態１）
本実施形態は、図２に示すように屋内と屋外とを区切る建物の壁６１に形成された矩形状の開口６に設けられ、屋外から屋内に進入する空気の経路（通気経路）を形成する通風装置１である。本実施形態の通風装置１は、外羽板３（第１羽板）および内羽板４（第２羽板）を有する複数のルーバーユニット２と、複数のルーバーユニット２を保持するフレーム５とを備える。
【００１０】
以下に、本実施形態の通風装置１の構成について図１Ａ〜図１Ｃを用いて説明する。なお、図１Ａは本実施形態の通風装置１の正面図、図１Ｂは図１ＡのＡ１−Ａ１断面図、図１Ｃは図１ＡのＢ１−Ｂ１断面図である。また、なお、本実施形態の説明で用いる方向は、図１Ａにおける上下左右方向を上下左右方向、図１Ｃにおける左右方向を前後方向と規定する。また、通風装置１の前側が屋外であり、後側が屋内であるとする。
【００１１】
フレーム５は、上枠５１、下枠５２、左枠５３、右枠５４が組み合わさることで構成された矩形状の枠体であり、開口６に嵌め込まれ、上下方向に並んで配置される複数のルーバーユニット２を保持する（図２参照）。
【００１２】
ルーバーユニット２は、屋外側に配置される板状の外羽板３と、外羽板３よりも屋内側に配置される板状の内羽板４とを備える。
【００１３】
外羽板３は、有孔部３１（第１有孔部）と遮蔽部３２（第１遮蔽部）とを有する矩形板状に形成されており、下辺が上辺よりも屋内側に位置するように傾斜して配置され、上下左右平面に対して所定の第１傾斜角度θ１をなす。
【００１４】
有孔部３１は、外羽板３の下辺に沿って設けられており、複数の貫通孔が形成された有孔領域を有する。本実施形態の有孔領域は、複数の微小開口（貫通孔）を有する矩形状のメッシュで構成されている。有孔部３１は、複数の貫通孔が形成された有孔領域を有しているので、貫通孔を介して外羽板３の一面側から他面側に空気を通過（通気）させることができる。さらに、本実施形態の有孔領域は、メッシュで構成されており、貫通孔の開口寸法が雨滴よりも小さく（例えば１ｍｍ程度）、有孔領域を通過しようとする雨滴をある程度遮ることができる。
【００１５】
遮蔽部３２は、有孔部３１よりも上辺側に設けられており、貫通孔が形成されていない無孔領域である。したがって、遮蔽部３２は、空気および雨滴を確実に遮断することができる。
【００１６】
このように、外羽板３は、第１傾斜角度θ１で屋内側に傾斜した矩形板状に形成されており、下辺側に設けられ通気を可能とする有孔部３１と、上辺側に設けられ空気および雨滴を遮断する遮蔽部３２とを備える。
【００１７】
内羽板４は、有孔部４１（第２有孔部）と遮蔽部４２（第２遮蔽部）とを有する矩形板状に形成されており、下辺が上辺よりも屋外側に位置するように傾斜して配置され、上下左右平面に対して第２傾斜角度θ２をなす。内羽板４は、有孔部４１と遮蔽部４２との位置関係が、外羽板３の有孔部３１と遮蔽部３２との位置関係と異なる。
【００１８】
有孔部４１は、内羽板４の上辺に沿って設けられており、複数の貫通孔が形成された矩形状のメッシュで構成される有孔領域を有する。したがって、有孔部４１は、雨滴をある程度遮りかつ通気を可能とする。
【００１９】
遮蔽部４２は、有孔部４１よりも下辺側に設けられており、貫通孔が形成されていない無孔領域である。したがって、遮蔽部４２は、空気および雨滴を確実に遮断することができる。
【００２０】
このように、内羽板４は、第２傾斜角度θ２で屋外側に傾斜した矩形板状に形成されており、上辺側に設けられ通気を可能とする有孔部３１と、下辺側に設けられ空気および雨滴を遮断する遮蔽部３２とを備える。
【００２１】
そして、外羽板３と内羽板４は、外羽板３の傾斜方向の延長線上に内羽板４が存在し、内羽板４の下端が外羽板３の下端よりも下側に位置するように配置されている。
【００２２】
なお、本実施形態の有孔部３１および有孔部４１は、有孔領域がメッシュで構成されているが、貫通孔の開口寸法および間隔が、雨滴をある程度遮りかつ通気可能な寸法に形成されていればよく、例えばパンチングメタルで構成されていてもよい。また、有孔部３１、有孔部４１における貫通孔の形状は限定されず、円形状（真円形状、楕円形状）、矩形状、多角形状（三角形状、四角形状、六角形状など）などから適宜選択される。また、有孔部３１、有孔部４１における貫通孔の配置（配列）は限定されず、並列配置、千鳥配置、ランダム配置などから適宜選択される。
【００２３】
本実施形態の通風装置１は、上述したルーバーユニット２を３つ備えており、３つのルーバーユニット２が上下方向に並べて所定間隔で配置される。なお、３つのルーバーユニット２を区別する場合、上から順にルーバーユニット２Ａ、ルーバーユニット２Ｂ、ルーバーユニット２Ｃという。
【００２４】
次に、ルーバーユニット２同士の位置関係について、上下方向に隣り合うルーバーユニット２Ａ（第１ルーバーユニット）、ルーバーユニット２Ｂ（第２ルーバーユニット）を例に説明する。上下方向において、ルーバーユニット２Ａおよびルーバーユニット２Ｂは、上側のルーバーユニット２Ａの下端（内羽板４の下端）が、下側のルーバーユニット２Ｂの上端（外羽板３の上端）よりも下側に位置するように配置される。すなわち、上側のルーバーユニット２Ａと下側のルーバーユニット２Ｂは、上下方向において一部が重なるように配置される。なお、ルーバーユニット２Ａは、上端（外羽板３の上端）がフレーム５の上枠５１の内周面に接触するように配置され、ルーバーユニット２Ｃは、下端（内羽板４の下端）がフレーム５の下枠５２の内周面に接触するように配置される。
【００２５】
さらに本実施形態の通風装置１は、開口６を介して屋外と屋内とを結ぶ任意の直線状の経路において、外羽板３の遮蔽部３２と内羽板４の遮蔽部４２との少なくとも一方が存在するように、ルーバーユニット２が配置構成されている。以下に、ルーバーユニット２Ａ、ルーバーユニット２Ｂを用いて具体的に説明する。
【００２６】
ここで、下側のルーバーユニット２Ｂにおける外羽板３の遮蔽部３２の上端部と、下側のルーバーユニット２Ｂにおける内羽板４の遮蔽部４２の上端部とを結ぶ直線をＬ１とする。そして、この直線Ｌ１上に、上側のルーバーユニット２Ａにおける内羽板４の遮蔽部４２が存在する。また、下側のルーバーユニット２Ｂにおける外羽板３の遮蔽部３２の上端部と、上側のルーバーユニット２Ａにおける内羽板４の遮蔽部４２の上端部とを結ぶ直線をＬ２とする。そして、この直線Ｌ２上に、上側のルーバーユニット２Ａにおける外羽板３の遮蔽部３２が存在する。このように、本実施形態では、直線Ｌ１上にルーバーユニット２Ａの遮蔽部４２が存在し、直線Ｌ２上にルーバーユニット２Ａの遮蔽部３２が存在するように、ルーバーユニット２Ａ，２Ｂの間隔、外羽板３および内羽板４の位置関係、各構成の寸法が設定される。なお、ここでは、ルーバーユニット２Ａとルーバーユニット２Ｂとの位置関係について説明したが、ルーバーユニット２Ｂとルーバーユニット２Ｃとの位置関係についても同様である。
【００２７】
なお、上下方向に並べて配置された３つのルーバーユニット２のうち、最も下に配置されたルーバーユニット２Ｃにおける外羽板３の有孔部３１を通る直線状の経路を塞ぐために、フレーム５の下枠５２に矩形状の遮蔽板３０が設けられている。遮蔽板３０は、フレーム５の下枠５２における屋外側端部から上方向に突出して設けられている。また、遮蔽板３０の高さ寸法は、遮蔽板３０の上端部と、ルーバーユニット２Ｃにおける内羽板４の遮蔽部４２の上端部とを結ぶ直線Ｌ３上に、ルーバーユニット２Ｃにおける外羽板３の遮蔽部３２が存在するように設定されている。
【００２８】
このように本実施形態の通風装置１は、開口６を介して屋外と屋内とを結ぶ任意の直線状の経路において、外羽板３の遮蔽部３２、内羽板４の遮蔽部４２、遮蔽板３０のいずれかが存在するように、外羽板３と内羽板４の位置関係、寸法が設定されている。
【００２９】
上記構成により、屋外側から屋内に向かう雨滴は、遮蔽部３２，４２または遮蔽板３０に遮られ、外羽板３、内羽板４を伝って流れ落ちることとなる。これにより、開口６を介して屋内に雨水が浸入することが防止される。また、本実施形態では、外羽板３の下端と内羽板４の上面との間に隙間２０が形成されている。この隙間２０により、内羽板４を伝う雨水が外羽板３によってせき止められることなく下方向に流すことができる。さらに、外羽板３の有孔部３１および内羽板４の有孔部４１は、複数の貫通孔（微小開口）を有する有孔領域を備えており、雨滴をある程度遮ることができる。したがって、遮蔽部３２，４２に衝突して飛散した雨滴が有孔部３１，４１を通過することを抑制することができ、雨水の浸入をより抑制することができる。なお、フレーム５の下枠５２の内周面には、外羽板３、内羽板４を伝って流れおちた雨水を屋外へ排出するため排水溝が形成されていることが望ましい。また、外羽板３および内羽板４の遮蔽部３２，４２は、衝突した雨滴の飛散を抑制するために、雨滴の衝撃を吸収する低反発素材で構成、または低反発素材が表面に設けられた構成であってもよい。
【００３０】
また、図１Ｃの点線矢印に示すように、開口６を通過しようとする空気は、外羽板３と外羽板３との間から進入したのち、内羽板４と内羽板４との間に迂回して屋内へ進入する。さらに、本実施形態の通風装置１は、外羽板３が有孔部３１を備え、内羽板４が有孔部４１を備える。したがって、外羽板３と外羽板３との間から進入した空気は、有孔部３１、有孔部４１を通る経路にも分岐して屋内に進入する。すなわち、本実施形態の通風装置１では、外羽板３に設けられた有孔部３１、および内羽板４に設けられた有孔部４１を介して屋内に進入する空気の経路を有しているので、より多くの通風量を確保することができる。
【００３１】
また、上述した通風装置１では、外羽板３の傾斜方向の延長線上に内羽板４が存在し、内羽板４の下端が外羽板３の下端よりも下側に位置するように配置されているが、上記位置関係に限定しない。図３Ａ〜図３Ｃに示すように、外羽板３および内羽板４は、内羽板４の傾斜方向の延長線上に外羽板３が存在し、外羽板３の下端が内羽板４の下端よりも下側に位置するように配置されていてもよい。上記構成であっても、外羽板３に設けられた有孔部３１、および内羽板４に設けられた有孔部４１を介して屋内に進入する空気の経路が形成されるので、雨水の浸入を防止し、かつより多くの通風量を確保することができる。
【００３２】
上述したように、本実施形態の通風装置１は、外羽板３（第１羽板）および内羽板４（第２羽板）を有するルーバーユニット２を複数備える。外羽板３は、板状に形成され下辺が上辺よりも屋内側に位置するように傾斜している。内羽板４は、板状に形成され下辺が上辺よりも屋外側に位置するように傾斜し外羽板３よりも屋内側に設けられている。そして、外羽板３と内羽板４のうち一方の傾斜方向の延長線上に他方が存在する。
【００３３】
また、外羽板３は、有孔部３１（第１有孔部）および遮蔽部３２（第１遮蔽部）を有する。有孔部３１は、外羽板３の下辺に沿って設けられ複数の貫通孔が形成された有孔領域を有する。遮蔽部３２は、有孔部３１よりも外羽板３の上辺側に設けられた無孔領域である。
【００３４】
内羽板４は、有孔部４１（第２有孔部）および遮蔽部４２（第２遮蔽部）を有する。有孔部４１は、内羽板４の上辺に沿って設けられ複数の貫通孔が形成された有孔領域を有する。遮蔽部４２は、有孔部４１よりも内羽板４の下辺側に設けられた無孔領域である。
【００３５】
また、複数のルーバーユニット２は、上下方向に並んで配置される。そして、複数のルーバーユニット２のうちルーバーユニット２Ａ（第１ルーバーユニット）の下端が、ルーバーユニット２Ａの下側に隣り合うルーバーユニット２Ｂ（第２ルーバーユニット）の上端よりも下側に位置する。さらに、ルーバーユニット２Ｂにおける外羽板３の遮蔽部３２の上端部と、ルーバーユニット２Ｂにおける内羽板４の遮蔽部４２の上端部とを結ぶ直線Ｌ１上に、ルーバーユニット２Ａにおける内羽板４の遮蔽部４２が存在する。また、ルーバーユニット２Ｂにおける外羽板３の遮蔽部３２の上端部と、ルーバーユニット２Ａにおける内羽板４の遮蔽部４２の上端部とを結ぶ直線Ｌ２上に、ルーバーユニット２Ａにおける外羽板３の遮蔽部３２が存在する。
【００３６】
本実施形態の通風装置１は、上記構成を備えることによって、雨水の浸入を防止し、かつより多くの通風量を確保することができる。
【００３７】
なお、本実施形態の通風装置１は、３つのルーバーユニット２を備えているが、ルーバーユニット２の数は上記に限定されず、開口６の寸法に応じて適宜設定される。
（実施形態２）
本実施形態の通風装置１ａについて、図４Ａ〜図４Ｃ、図５を用いて説明する。本実施形態の通風装置１ａは、実施形態１の内羽板４における遮蔽部４２が壁部４２１を有する点が、実施形態１の通風装置１と異なる点であり、他の構成は実施形態１の通風装置１と同様の構成である。なお、実施形態１の通風装置１と同様の構成については、同一符号を付して説明を省略する。
【００３８】
本実施形態の内羽板４（第２羽板）の遮蔽部４２（第２遮蔽部）は、有孔部４１との境界に沿って上方向に突出し、内羽板４の左端から右端にわたって形成された壁部４２１を有する。そして、本実施形態の通風装置１ａは、開口６を介して屋外と屋内とを結ぶ任意の直線状の経路において、外羽板３の遮蔽部３２と内羽板４の遮蔽部４２（壁部４２１を含む）との少なくとも一方が存在するように、ルーバーユニット２が配置構成されている。以下に、ルーバーユニット２Ａ、ルーバーユニット２Ｂを用いて具体的に説明する。
【００３９】
ここで、下側のルーバーユニット２Ｂ（第２ルーバーユニット）における外羽板３（第１羽板）の遮蔽部３２（第１遮蔽部）の上端部と、下側のルーバーユニット２Ｂにおける内羽板４（第２羽板）の壁部４２１の先端部とを結ぶ直線をＬ４とする。そして、この直線Ｌ４上に、上側のルーバーユニット２Ａ（第１ルーバーユニット）における内羽板４の遮蔽部４２（第２遮蔽部）が存在する。また、下側のルーバーユニット２Ｂにおける外羽板３の遮蔽部３２の上端部と、上側のルーバーユニット２Ａにおける内羽板４の壁部４２１の先端部とを結ぶ直線をＬ５とする。そして、この直線Ｌ５上に、上側のルーバーユニット２Ａにおける外羽板３の遮蔽部３２が存在する。
【００４０】
このように本実施形態では、開口６を介して屋外と屋内とを結ぶ任意の直線状の経路に、外羽板３の遮蔽部３２と内羽板４の遮蔽部４２（壁部４２１を含む）との少なくとも一方が存在するように、外羽板３と内羽板４の位置関係、各構成の寸法が設定されている。遮蔽部４２が有する壁部４２１は、有孔部４１との境界に沿って上方向に突出するように形成されている。したがって、外羽板３の有孔部３１における有孔領域の寸法を大きく設定、上下方向におけるルーバーユニット２間の間隔を大きく設定することができるので、通風経路の断面積が大きくなり、さらに多くの通風量を確保することができる。
（実施形態３）
本実施形態の通風装置１ｂについて、図６Ａ，図６Ｂを用いて説明する。本実施形態の通風装置１ｂは、外羽板３の傾斜角度（第１傾斜角度θ１）を調整する調整機構７を備える点が、実施形態２の通風装置１ａと異なる点であり、他の構成は実施形態２の通風装置１ａと同様の構成である。なお、実施形態２の通風装置１ａと同様の構成については、同一符号を付して説明を省略する。
【００４１】
本実施形態の外羽板３は、遮蔽部３２の上端部を軸として回転可能に構成されている。具体的には、外羽板３は、側面（左面、右面）における上端部から左右方向に突出した回転軸３３が設けられており、フレーム５によって回転軸３３が回転自在に保持されている。これにより、外羽板３は、遮蔽部３２の上端部を軸として回転移動可能に構成され、第１傾斜角が変化可能に構成される。
【００４２】
調整機構７は、フレーム５内に設けられており、モーター７１、減速機７２、ベルト７３を備え、回転軸３３を回転させることで、外羽板３の第１傾斜角度θ１を変化させる。ベルト７３は、環状に形成されており、内周面が各外羽板３の回転軸３３に連結している。ベルト７３の内周面および回転軸３３の表面は、互いに嵌合する凹凸形状に構成されており、ベルト７３が回転することで各外羽板３の回転軸３３も回転するように構成されている。モーター７１は、外部電源によって駆動しベルト７３を回転させる。具体的には、モーター７１とベルト７３との間には、減速機７２が設けられており、減速機７２は、モーター７１の回転速度を減速させて、モーター７１の駆動力をベルト７３に伝達する。上記構成により、モーター７１が駆動することによってベルト７３が回転し、各外羽板３の回転軸３３が回転する。各回転軸３３が回転することで、外羽板３の第１傾斜角度θ１が変化する。また、モーター７１の回転方向に応じて外羽板３の第１傾斜角度θ１が増減する。
【００４３】
図７Ａ〜図７Ｃに示すように、外羽板３の第１傾斜角度θ１が変化することによって、上下方向に並ぶ外羽板３の間隔（外羽板３同士を結ぶ垂線の長さ）が変化し、通風経路の断面積の大きさを調整することができる。なお、本実施形態では、外羽板３の可動範囲（第１傾斜角度θ１の範囲）が以下のように制限される。第１傾斜角度θ１の最小角度は、外羽板３が上下左右平面と略平行となる略０度となる（図７Ａ参照）。また、上下方向に隣り合うルーバーユニット２において、下側の外羽板３の遮蔽部３２の上端部と、上側の内羽板４の壁部４２１の先端部とを結ぶ直線上に、上側の外羽板３の遮蔽部３２の先端部が重なる場合の第１傾斜角度θ１が最大角度となる（図４Ｃ参照）。第１傾斜角度θ１の範囲が上記のように制限されることで、第１傾斜角度θ１がいずれの場合であっても、屋外と屋内とを結ぶ任意の直線状の経路において、外羽板３の遮蔽部３２と内羽板４の遮蔽部４２（壁部４２１を含む）との少なくとも一方が存在する。これにより、開口６を介して雨水が浸入することを防止することができる。さらに、外羽板３の第１傾斜角度θ１が変化することによって、通風経路の大きさが変化し通風量を調整することができる。
【００４４】
図７Ａに示すように、外羽板３の第１傾斜角度θ１が略０度である場合、開口６の全面が各外羽板３の遮蔽部３２で覆われる。このとき、前後方向において、上側の外羽板３の有孔部３１全体が、下側の外羽板３の遮蔽部３２と重なるように、ルーバーユニット２同士の位置関係、外羽板３の有孔部３１の寸法等が設定されている。また、遮蔽板３０の高さ寸法は、ルーバーユニット２Ｃの外羽板３の有孔部３１全体が遮蔽板３０と前後方向に重なるように設定されている。上記構成により、開口６の全面が各外羽板３の遮蔽部３２および遮蔽板３０で覆われる、すなわち開口６の全閉状態となるので、通風を遮断させることができる。
【００４５】
また、図７Ｂに示すように、図７Ａの状態から外羽板３の第１傾斜角度θ１をわずかに大きくした場合、上側の外羽板３と下側の外羽板３との間に隙間が形成され、この隙間を介して通風が可能となる。例えば、風が強い日に外羽板３同士の隙間がわずかに形成されるように第１傾斜角度θ１を調整することで、通風量を制限することができ、強風が屋内に吹き込むことを防止することができる。
【００４６】
また、図７Ｃに示すように、外羽板３の第１傾斜角度θ１が、外羽板３の有孔部３１の下端と、内羽板４の遮蔽部４２の下端とが最も近づく角度である場合、通風経路が最も広い状態となり、通風量を最も確保することができる採風に適した状態となる。なお、図７Ｃに示す状態から外羽板３の第１傾斜角度θ１をさらに大きくした場合、下側のルーバーユニット２の外羽板３の上面と、上側のルーバーユニット２の内羽板４の下端との距離が短くなるので、通風経路が狭まることとなり通風量が減少する。
【００４７】
このように、本実施形態の通風装置１ｂは、外羽板３の第１傾斜角度θ１を調整する調整機構７を備える。外羽板３の第１傾斜角度θ１が調整されて変化することによって、通風経路の大きさが変化する。したがって、雨水に進入を防止し、かつ通風量を調整することができる。
【００４８】
なお、本実施形態では、モーター７１を備える調整機構７を用いて外羽板３の第１傾斜角度θ１を調整するように構成されているが、上記構成に限定されない。例えば、外羽板３の回転軸３３を回転させるレバー、つまみ等を用いて、外羽板３の第１傾斜角度θ１を手動で調整可能に構成されていてもよい。
【００４９】
なお、上述した各実施形態は本発明の一例である。このため、本発明は、上述の実施形態に限定されることはなく、各実施形態が組み合わされた構成であってもよい。さらには、上述の実施形態以外であっても、本発明に係る技術的思想を逸脱しない範囲であれば、設計等に応じて種々の変更が可能であることはもちろんのことである。
【符号の説明】
【００５０】
１，１ａ，１ｂ  通風装置
２  ルーバーユニット
３  外羽板（第１羽板）
３１  有孔部（第１有孔部）
３２  遮蔽部（第１遮蔽部）
４  内羽板（第２羽板）
４１  有孔部（第２有孔部）
４２  遮蔽部（第２遮蔽部）
４２１  壁部
７  調整機構
【図１】
2016156553.tif 000003
【図２】
2016156553.tif 000004
【図３】
2016156553.tif 000005
【図４】
2016156553.tif 000006
【図５】
2016156553.tif 000007
【図６】
2016156553.tif 000008
【図７】
2016156553.tif 000009